(57)【特許請求の範囲】
【請求項１】
複数のＳＳＤ（Ｓｏｌｉｄ  Ｓｔａｔｅ  Ｄｒｉｖｅ）により構成され、各々のＳＳＤは書き込みデータ用の領域と読み出しデータ用の領域との２つに分割される二次キャッシュ部と、
バッファメモリと、
記憶媒体であるスペアディスク装置と、
前記二次キャッシュ部のＳＳＤのうち、２つのＳＳＤにより冗長構成を組み、書き込みデータの転送先を両ＳＳＤの書き込みデータ用の領域とし、また冗長構成の各々のＳＳＤの書き込み回数を監視し、書き込み回数がしきい値に到達したＳＳＤを検知した場合、もう一方のＳＳＤの書き込みデータ用の領域を前記スペアディスク装置にコピーし、かつ、書き込みデータの転送先をもう一方のＳＳＤの書き込みデータ用の領域と前記バッファメモリに設定し、その後、前記バッファメモリに転送したデータを前記スペアディスク装置にコピーする制御部と
を含む情報記憶装置。
【請求項２】
前記制御部は、読み出しデータの転送先を前記二次キャッシュ部の冗長構成の各々のＳＳＤの読み出しデータ用の領域のうち空き容量が大きい方とする請求項１記載の情報記憶装置。
【請求項３】
前記制御部は、書き込み回数がしきい値に到達したＳＳＤを検知した場合、読み出しデータの転送先を前記二次キャッシュ部のもう一方のＳＳＤの読み出しデータ用の領域とする請求項１または２に記載の情報記憶装置。
【請求項４】
制御部が、二次キャッシュのＳＳＤのうち、２つのＳＳＤにより冗長構成を組み、
書き込みデータの転送先を両ＳＳＤの書き込みデータ用の領域とし、
冗長構成の各々のＳＳＤの書き込み回数を監視し、
書き込み回数がしきい値に到達したＳＳＤを検知した場合、もう一方のＳＳＤの書き込みデータ用の領域をスペアディスク装置にコピーし、
書き込みデータの転送先をもう一方のＳＳＤの書き込みデータ用の領域とバッファメモリに設定し、
前記バッファメモリに転送したデータを前記スペアディスク装置にコピーする
情報記憶方法。
【請求項５】
前記制御部が、読み出しデータの転送先を前記二次キャッシュの冗長構成の各々のＳＳＤの読み出しデータ用の領域のうち空き容量が大きい方とする請求項４記載の情報記憶方法。
【請求項６】
前記制御部が、書き込み回数がしきい値に到達したＳＳＤを検知した場合、読み出しデータの転送先を前記二次キャッシュのもう一方のＳＳＤの読み出しデータ用の領域とする請求項４または５に記載の情報記憶方法。
【発明の詳細な説明】
【技術分野】
【０００１】
本発明は、読み書きの性能を高める情報記憶装置および情報記憶方法に関する。
【背景技術】
【０００２】
情報記憶装置において、読み書きの性能を高めた装置が知られている。この情報記憶装置は、読み書きの性能に優れているが書き込み回数制限のあるＳＳＤ（Ｓｏｌｉｄ  Ｓｔａｔｅ  Ｄｒｉｖｅ）を使用する。
【０００３】
情報記憶装置の一例が特許文献１に記載されている。特許文献１に記載された情報記憶装置は、記憶部としてＳＳＤとＨＤＤ（Ｈａｒｄ  Ｄｉｓｋ  Ｄｒｉｖｅ）を備え、ＳＳＤの使用値が閾値を超えている場合、データの転送先をＳＳＤではなくＨＤＤに変更する。
【先行技術文献】
【特許文献】
【０００４】
【特許文献１】特開２０１２−２３４４５８号公報
【発明の概要】
【発明が解決しようとする課題】
【０００５】
しかしながら、上述した特許文献１に記載された技術は、データの転送先をＳＳＤではなくＨＤＤに変更するだけであり、ＨＤＤのデータの読み書き速度はＳＳＤに比べて遅い。したがって、特許文献１に記載された技術は、転送先がＨＤＤの場合、性能劣化が生じるという問題点がある。また、特許文献１に記載された技術は、ＳＳＤかＨＤＤどちらかにデータを書き込むため、データは冗長化されない。また、ＳＳＤを交換する際にＳＳＤ内のデータを他の記憶媒体に退避しないため、データの消失が発生するという問題点がある。
【０００６】
本発明の目的の一例は、上述した問題点を解決できる情報記憶装置および情報記憶方法を提供することにある。
【課題を解決するための手段】
【０００７】
本発明の一形態における第１の情報記憶装置は、複数のＳＳＤ（Ｓｏｌｉｄ  Ｓｔａｔｅ  Ｄｒｉｖｅ）により構成され、各々のＳＳＤは書き込みデータ用の領域と読み出しデータ用の領域との２つに分割される二次キャッシュ部と、バッファメモリと、記憶媒体であるスペアディスク装置と、前記二次キャッシュのＳＳＤのうち、２つのＳＳＤにより冗長構成を組み、書き込みデータの転送先を両ＳＳＤの書き込みデータ用の領域とし、また冗長構成の各々のＳＳＤの書き込み回数を監視し、書き込み回数がしきい値に到達したＳＳＤを検知した場合、もう一方のＳＳＤの書き込みデータ用の領域を前記スペアディスク装置にコピーし、かつ、書き込みデータの転送先をもう一方のＳＳＤの書き込みデータ用の領域と前記バッファメモリに設定し、その後、前記バッファメモリに転送したデータを前記スペアディスク装置にコピーする制御部とを備える。
【０００８】
本発明の一形態における第１の情報記憶方法は、制御部が、二次キャッシュのＳＳＤのうち、２つのＳＳＤにより冗長構成を組み、書き込みデータの転送先を両ＳＳＤの書き込みデータ用の領域とし、冗長構成の各々のＳＳＤの書き込み回数を監視し、書き込み回数がしきい値に到達したＳＳＤを検知した場合、もう一方のＳＳＤの書き込みデータ用の領域を前記スペアディスク装置にコピーし、書き込みデータの転送先をもう一方のＳＳＤの書き込みデータ用の領域と前記バッファメモリに設定し、前記バッファメモリに転送したデータを前記スペアディスク装置にコピーする。
【発明の効果】
【０００９】
本発明によれば、性能劣化せず常に二次キャッシュを冗長化し記憶できるという効果が得られる。
【図面の簡単な説明】
【００１０】
【図１】図１は、本発明の第１の実施の形態における情報記憶装置１０００の構成を示すブロック図である。
【図２】図２は、第１の実施の形態におけるＳＳＤ書き込み回数管理テーブルの一例を示す図である。
【図３】図３は、第１の実施の形態におけるＳＳＤしきい値管理テーブルの一例を示す図である。
【図４】図４は、第１の実施の形態におけるコピー管理テーブルの一例を示す図である。
【図５】図５は、第１の実施の形態における情報記憶装置１０００での制御部１１０の二次キャッシュ１４０へのデータ書き込み制御の動作の概要を示すフローチャートである。
【図６】図６は、第１の実施の形態における情報記憶装置１０００での制御部１１０の二次キャッシュ１４０へのデータ書き込み後の制御の動作の概要を示すフローチャートである。
【図７】図７は、第１の実施の形態における情報記憶装置１０００での第２のＳＳＤ１４２のＳＳＤ書き込み回数管理テーブルにおける寿命フラグが「１」、つまり第２のＳＳＤ１４２の書き込み回数がしきい値を超過した場合の制御部１１０の二次キャッシュ１４０へのデータ書き込み制御の動作の概要を示すフローチャートである。
【図８】図８は、第１の実施の形態における情報記憶装置１０００での第２のＳＳＤ１４２のＳＳＤ書き込み回数管理テーブルにおける寿命フラグが「１」、つまり第２のＳＳＤ１４２の書き込み回数がしきい値を超過した場合の制御部１１０の二次キャッシュ１４０へのデータ書き込み後の制御の動作の概要を示すフローチャートである。
【図９】図９は、本発明の第１の実施の形態における情報記憶装置１０００での、二次キャッシュ１４０に対して新たなＳＳＤが追加された後の情報記憶装置１０００の構成を示すブロック図である。
【図１０】図１０は、第１の実施の形態における情報記憶装置１０００での二次キャッシュ１４０に対して第３のＳＳＤ１４３が追加され、第１のＳＳＤ１４１から第３のＳＳＤ１４３へデータをコピーし、冗長構成を構築する動作の概要を示すフローチャートである。
【図１１】図１１は、本発明の第２の実施の形態における情報記憶装置１００１の構成を示すブロック図である。
【発明を実施するための形態】
【００１１】
次に、本発明の実施形態について図面を参照して詳細に説明する。
【００１２】
［第１の実施の形態］
図１は、本発明の第１の実施の形態における情報記憶装置１０００の構成を示すブロック図である。図１を参照すると、情報記憶装置１０００は、通信部１００と制御部１１０と記憶部１２０と二次キャッシュ１４０とデータディスク装置１５０とバッファメモリ１６０とスペアディスク装置１７０と、を備える。また、二次キャッシュ１４０は、第１のＳＳＤ１４１と第２のＳＳＤ１４２と、を備える。
【００１３】
次に、第１の実施の形態における情報記憶装置１０００の構成について説明する。
【００１４】
通信部１００は、図示しない外部の情報処理装置とのデータの送受信を行う。
【００１５】
制御部１１０は、少なくとも、二次キャッシュ１４０の各々のＳＳＤの書き込み回数を監視し、書き込み回数がしきい値に到達したＳＳＤを検知した場合、当該ＳＳＤの代わりにバッファメモリ１６０とスペアディスク装置１７０をデータ転送先に設定する。また、二次キャッシュ１４０に書き込むデータの大きさが二次キャッシュ１４０の空き領域より大きい場合、制御部１１０は、データを二次キャッシュ１４０ではなくデータディスク装置１５０に書き込む。
【００１６】
なお、制御部１１０は、特定の条件を満足する場合、二次キャッシュ１４０のデータをデータディスク装置１５０にコピーし、二次キャッシュ１４０のデータを消去するが、本実施形態の動作の説明では省略する。特定の条件とは、たとえば図示しない一次キャッシュ部の容量が一定以上の空き領域を持ち、かつデータディスク装置１５０のビジー率がある一定の以下の場合である。
【００１７】
記憶部１２０は、二次キャッシュ１４０のＳＳＤの書き込み回数としきい値、データの転送情報をそれぞれ、ＳＳＤ書き込み回数管理テーブル、ＳＳＤしきい値管理テーブル、コピー管理テーブルとして記憶する。
【００１８】
図２にＳＳＤ書き込み回数管理テーブルの一例を示す。ＳＳＤ書き込み回数管理テーブルは、ＳＳＤを識別するＩＤ、どのＳＳＤとどのＳＳＤが冗長構成をなしているかを示す冗長構成番号、各々のＳＳＤの書き込み回数、各々のＳＳＤが後述するしきい値に到達しているかどうかを表す寿命フラグからなる。
【００１９】
図３にＳＳＤしきい値管理テーブルの一例を示す。ＳＳＤしきい値管理テーブルは、各々のＳＳＤの寿命と判定する書き込み回数を表すしきい値からなる。
【００２０】
図４にコピー管理テーブルの一例を示す。コピー管理テーブルは、ディスクの内容をコピーするときの、コピー元のドライブ情報とデータアドレスを示すコピー元情報、コピー先のドライブ情報とデータアドレスを示すコピー先情報、一時的にデータを保存するバッファメモリのドライブ情報とデータアドレスを示すバッファメモリ情報からなる。このコピー元情報とコピー先情報、もしくはコピー元情報とバッファメモリ情報の対応関係は、ＳＳＤ交換時における冗長構成をなすデータの対応情報となる。
【００２１】
二次キャッシュ１４０は、データディスク装置１５０およびスペアディスク装置１７０よりデータの処理速度が高い記憶媒体である。また本発明の第１の実施形態における二次キャッシュ１４０は複数のＳＳＤにより構成される。また、本実施形態における二次キャッシュ１４０は、第１のＳＳＤ１４１、第２のＳＳＤ１４２によって構成される。さらに各々のＳＳＤは、図示しない外部装置から通信部１００で受信した情報記憶装置１０００への書き込みデータであるＷｒｉｔｅデータ用の領域と、データディスク装置１５０からの読み出しデータであるＲｅａｄデータ用の領域との２つに分割する。すなわち、第１のＳＳＤ１４１は、Ｗｒｉｔｅデータ用の領域１４１１とＲｅａｄデータ用の領域１４１２との２つの領域を持つ。同様に第２のＳＳＤ１４２は、Ｗｒｉｔｅデータ用の領域１４２１とＲｅａｄデータ用の領域１４２２との２つの領域を持つ。Ｗｒｉｔｅデータ用の領域とＲｅａｄデータ用の領域の割合は適宜管理者によって設定される。
【００２２】
データディスク装置１５０は、情報記憶装置１０００の図示しない一次キャッシュや二次キャッシュ１４０において容量不足のため記憶できないデータを記憶する記憶媒体である。本実施形態におけるデータディスク装置１５０はＨＤＤ（Ｈａｒｄ  Ｄｉｓｋ  Ｄｒｉｖｅ）により構成される。データディスク装置１５０は単一の記憶媒体による構成であっても、複数の記憶媒体による冗長構成であってもよい。
【００２３】
バッファメモリ１６０は、少なくともデータディスク装置１５０よりデータの処理速度が高い記録媒体である。
【００２４】
スペアディスク装置１７０は、本来はデータディスク装置１５０が故障した場合の代替ディスクとして情報記憶装置１０００に備えられる記憶媒体である。本発明においては、制御部１１０によってＳＳＤの代わりに二次キャッシュとしてバッファメモリ１６０とともにデータが転送される記憶媒体として使用する。本実施形態におけるスペアディスク装置１７０はＨＤＤにより構成される。スペアディスク装置１７０は、複数のＨＤＤを有し、ＳＳＤ交換の都度、特定の条件により選択する、例えば最も空き容量の大きなＨＤＤを使用するよう選択する方法でもよい。
【００２５】
ＣＰＵは、制御部１１０に含まれ、制御のためのプログラムは、記憶部１２０か、他の図示しない不揮発性メモリに記憶され、ＣＰＵにより読み出されて実行される。
【００２６】
以上のように構成された情報記憶装置１０００の動作について、図５、図６、図７、図８、図１０のフローチャート、図９のブロック図を参照して説明する。
【００２７】
図５、図６は、第１の実施の形態における情報記憶装置１０００での制御部１１０の二次キャッシュ１４０へのデータ書き込み制御の動作の概要を示すフローチャートである。尚、このフローチャートによる処理は、前述したＣＰＵによるプログラム制御に基づいて、実行されても良い。なお、第１のＳＳＤ１４１、第２のＳＳＤ１４２のＳＳＤ書き込み回数管理テーブルにおける寿命フラグは両方ともに「０」とする。すなわち、どちらのＳＳＤも書き込み回数はしきい値に到達していないこととする。
【００２８】
図５に示すように、制御部１１０が二次キャッシュ１４０へデータを書き込む場合、まず、制御部１１０は、書き込むデータがＷｒｉｔｅデータであるかを調べる（ステップＳ１０１）。書き込むデータがＲｅａｄデータの場合（ステップＳ１０１でＮＯ）、制御部１１０は、データディスク装置１５０から読み出したデータを、領域１４１２と領域１４２２のうち、空き領域が大きい一方の領域のみに書き込むよう制御する（ステップＳ１０２）。書き込むデータがＷｒｉｔｅデータの場合（ステップＳ１０１でＹＥＳ）、さらに制御部１１０は、書き込むデータの大きさがＳＳＤ１４１とＳＳＤ１４２の各々の空き容量より小さいか確認する（ステップＳ１０３）。書き込むデータの大きさがＳＳＤ１４１とＳＳＤ１４２の各々の空き容量より大きい場合は（ステップＳ１０３でＮＯ）、制御部１１０は、二次キャッシュ１４０の各々のＳＳＤではなく、データディスク装置１５０に書き込み（ステップＳ１０４）、図６に示すように、制御部１１０は、本動作の処理を終了する。書き込むデータの大きさがＳＳＤ１４１とＳＳＤ１４２の各々の空き容量より小さい場合（ステップＳ１０３でＹＥＳ）、制御部１１０は、領域１４１１と領域１４２１の両方に同じデータを書き込むよう制御する（ステップＳ１０５）。
【００２９】
次に、制御部１１０は、記憶部１２０に記憶されたＳＳＤ書き込み回数管理テーブルにおける、書き込みを行ったＳＳＤの書き込み回数を更新する（ステップＳ１０６）。
【００３０】
図６に示すように、次に、制御部１１０は、記憶部１２０に記憶されたＳＳＤしきい値管理テーブルにおけるしきい値と、ＳＳＤ書き込み回数管理テーブルにおける各々のＳＳＤの書き込み回数を比較し、書き込み回数がしきい値を超過したＳＳＤがあるかどうか調査する（ステップＳ１０７）。もしない場合は（ステップＳ１０７でＮＯ）、制御部１１０は、本動作の処理を終了する。もしある場合は（ステップＳ１０７でＹＥＳ、これ以降書き込み回数がしきい値を超過したＳＳＤは第２のＳＳＤ１４２とする）、制御部１１０は、ＳＳＤ書き込み回数管理テーブルにおけるＳＳＤ１４２の寿命フラグを「０」から「１」に変更する（ステップＳ１０８）。
【００３１】
次に、制御部１１０は、記憶部１２０に記憶されたコピー管理テーブルのドライブ情報に対して、コピー元情報に寿命フラグが「０」であるＳＳＤ１４１を追加し、コピー先情報にスペアディスク装置１７０を追加する（ステップＳ１０９）。
【００３２】
次に、制御部１１０は、ＳＳＤ１４１の領域１４１１に記憶されたデータを、全てスペアディスク装置１７０にコピーする（ステップＳ１１０）。
【００３３】
次に、制御部１１０は、記憶部１２０に記憶されたコピー管理テーブルにおけるコピー元情報のデータアドレスへ、コピーされたＳＳＤ１４１のデータアドレスを記載し、コピー先情報のデータアドレスへ、コピーしたスペアディスク装置１７０のデータアドレスを記載する（ステップＳ１１１）
以上で、情報記憶装置１０００での制御部１１０の二次キャッシュ１４０へのデータ書き込み制御と書き込み回数がしきい値を超過したＳＳＤの処理の動作を終了する。
【００３４】
図７、図８は、第１の実施の形態における情報記憶装置１０００での、第２のＳＳＤ１４２のＳＳＤ書き込み回数管理テーブルにおける寿命フラグが「１」、つまり第２のＳＳＤ１４２の書き込み回数がしきい値を超過した場合の制御部１１０の二次キャッシュ１４０へのデータ書き込み制御の動作の概要を示すフローチャートである。尚、このフローチャートによる処理も、前述したＣＰＵによるプログラム制御に基づいて、実行されても良い。なお、第１のＳＳＤ１４１のＳＳＤ書き込み回数管理テーブルにおける寿命フラグは「０」とする。すなわち、第１のＳＳＤ１４１の書き込み回数はしきい値に到達していないこととする。また、前述のステップＳ１０７からステップＳ１０９の処理はすべて完了しているものとする。
【００３５】
図７に示すように、制御部１１０が二次キャッシュ１４０へデータを書き込む場合、まず、制御部１１０は、二次キャッシュ１４０へ書き込むデータがＷｒｉｔｅデータであるかを調べる（ステップＳ２０１）。書き込むデータがＲｅａｄデータの場合（ステップＳ２０１でＮＯ）、制御部１１０は、寿命フラグが「０」である第１のＳＳＤ１４１の領域１４１２に、データディスク装置１５０からのデータを書き込むよう制御する（ステップＳ２０２）。
【００３６】
書き込むデータがＷｒｉｔｅデータの場合（ステップＳ２０１でＹＥＳ）、さらに制御部１１０は、書き込むデータの大きさが寿命フラグが「０」である第１のＳＳＤ１４１の空き容量より小さいか確認する（ステップＳ２０３）。書き込むデータの大きさがＳＳＤ１４１の空き容量より大きい場合は（ステップＳ２０３でＮＯ）、制御部１１０は、ＳＳＤ１４１ではなく、データディスク装置１５０にデータを書き込むよう制御する（ステップＳ２０４）。書き込むデータの大きさがＳＳＤ１４１の空き容量より小さい場合（ステップＳ２０３でＹＥＳ）、制御部１１０は、寿命フラグが「０」である第１のＳＳＤ１４１の領域１４１１とバッファメモリ１６０に、それぞれ同じデータを書き込むよう制御する（ステップＳ２０５）。さらに、制御部１１０は、記憶部１２０に記憶されたコピー管理テーブルを参照し、コピー元情報のデータアドレスに、ステップＳ２０５で領域１４１１に書き込むよう制御したデータのアドレスがあるかどうか調べる（ステップＳ２０６）。もしある場合（ステップＳ２０６でＹＥＳ）、つまり領域１４１１に対するデータの書き込みが上書き保存であり、かつ上書き前のデータがすでにスペアディスク装置１７０にコピーされている場合、制御部１１０は、対象のデータアドレスと同じ行のバッファメモリ情報にステップＳ２０５でデータを書き込んだバッファメモリ１６０のデータアドレスを記載する（ステップＳ２０７）。もしない場合（ステップＳ２０６でＮＯ）、つまり領域１４１１に対するデータの書き込みが新規の場合、制御部１１０は、コピー元情報のデータアドレスにステップＳ２０５で領域１４１１に書き込んだデータのアドレスを記載し、バッファメモリ情報にはステップＳ２０５でデータを書き込んだバッファメモリ１６０のデータアドレスを記載する（ステップＳ２０８）。
【００３７】
図８に示すように、次に、制御部１１０は、バッファメモリ１６０にデータが保存され、かつ第１のＳＳＤ１４１に書き込み処理が行われていないか確認する（ステップＳ２０９）。もしバッファメモリ１６０にデータが保存されていない、あるいは第１のＳＳＤ１４１に書き込み処理が行われている場合（ステップＳ２０９でＮＯ）、制御部１１０はそのまま本動作の処理を終了する。もしバッファメモリ１６０にデータが保存され、かつ第１のＳＳＤ１４１に書き込み処理が行われていない場合（ステップＳ２０９でＹＥＳ）、制御部１１０は、バッファメモリ１６０に保存されているデータをスペアディスク装置１７０にコピーする（ステップＳ２１０）。さらに、制御部１１０は、バッファメモリ情報のデータアドレスからステップＳ２０７またはステップＳ２０８で記載したデータアドレスを検索し、該当するアドレスを削除し、コピー先情報にデータをコピーしたスペアディスク装置１７０のアドレスを記載する（ステップＳ２１１）。すでにコピー先情報にアドレスの記載がある場合でも、制御部１１０は、コピー先情報をデータをコピーしたスペアディスク装置１７０のアドレスに更新して構わない。
【００３８】
以上で、情報記憶装置１０００での、第２のＳＳＤ１４２のＳＳＤ書き込み回数管理テーブルにおける寿命フラグが「１」、つまり第２のＳＳＤ１４２の書き込み回数がしきい値を超過した場合の制御部１１０の二次キャッシュ１４０へのデータ書き込み制御の動作を終了する。
【００３９】
図９は、第１の実施の形態における情報記憶装置１０００での、二次キャッシュ１４０に対して新たなＳＳＤが追加された後の情報記憶装置１０００の構成を示すブロック図である。ここで、新たなＳＳＤを第３のＳＳＤ１４３とする。図１０は、第１の実施の形態における情報記憶装置１０００での、二次キャッシュ１４０に対して第３のＳＳＤ１４３が追加され、第１のＳＳＤ１４１から第３のＳＳＤ１４３へデータをコピーし、冗長構成を構築する動作の概要を示すフローチャートである。尚、このフローチャートによる処理も、前述したＣＰＵによるプログラム制御に基づいて、実行されても良い。また、第１のＳＳＤ１４１のＳＳＤ書き込み回数管理テーブルにおける寿命フラグは「０」とする。すなわち、第１のＳＳＤ１４１の書き込み回数はしきい値に到達していないこととする。また、この動作は、二次キャッシュ１４０に第３のＳＳＤ１４３が組み込まれたことを制御部１１０が自動認識し動作開始する方法でも、作業者により図示しない入力部より手動で動作開始命令を入力される方法でもよい。
【００４０】
図１０に示すように、まず、制御部１１０は、第１のＳＳＤ１４１の領域１４１１と領域１４１２との割合に合わせて第３のＳＳＤ１４３を２つの領域に分割する（ステップＳ３０１）。ここで第３のＳＳＤ１４３のＷｒｉｔｅデータ用の領域を領域１４３１、Ｒｅａｄデータ用の領域を領域１４３２とする。
【００４１】
次に、制御部１１０は、記憶部１２０に記憶されたＳＳＤ書き込み回数管理テーブルを参照し、第３のＳＳＤ１４３の情報を追加し、第１のＳＳＤ１４１と同じ冗長構成番号を設定し、第２のＳＳＤ１４２の冗長構成番号は削除する（ステップＳ３０２）。
【００４２】
次に、制御部１１０は、ＳＳＤ１４１の領域１４１１に記憶されたデータを、全て第３のＳＳＤ１４３の領域１４３１にコピーする（ステップＳ３０３）。
【００４３】
以上で、情報記憶装置１０００での、二次キャッシュ１４０に対して新たなＳＳＤが追加され、第１のＳＳＤ１４１から新たなＳＳＤへデータをコピーし、冗長構成を構築する動作を終了する。
【００４４】
次に、本発明の第１の実施の形態の効果について説明する。
【００４５】
上述した本実施形態における情報記憶装置１０００は、性能劣化せず常に二次キャッシュを冗長化し記憶できる。
【００４６】
その理由は、以下のような構成を含むからである。即ち、第１に制御部１１０は、二次キャッシュ１４０のＳＳＤのＷｒｉｔｅデータの領域のみ二重化する。これは、Ｒｅａｄデータは常にデータディスク装置１５０が元のデータを記憶するため、二次キャッシュとしては二重化しなくても冗長性は維持できるためである。第２に、制御部１１０は、ＳＳＤの交換時に二次キャッシュ１４０へＷｒｉｔｅデータを書き込む場合、書き込むＷｒｉｔｅデータを残ったＳＳＤとデータの処理速度が高い記録媒体であるバッファメモリ１６０に記録し、その後適宜バッファメモリ１６０のデータをスペアディスク装置１７０にコピーする。これにより、ＳＳＤの交換時も制御部１１０は、Ｗｒｉｔｅデータをデータの処理速度が高い記録媒体に二重化して記録できるので、性能劣化せず常に二次キャッシュを冗長化し記憶できるという効果が得られる。
【００４７】
［変形例］
次に、本発明の変形例について説明する。以下、本実施形態の説明が不明確にならない範囲で、前述の説明と重複する内容については説明を省略する。
【００４８】
第１の実施の形態におけるバッファメモリ１６０の代わりに、図１には図示しない情報記憶装置１０００の一次キャッシュ部の一部の領域に、残ったＳＳＤとともにＷｒｉｔｅデータを記録してもよい。この場合、二次キャッシュ１４０に対して新たなＳＳＤが追加され、冗長構成の構築が完了した後、バッファメモリ用に確保した一次キャッシュ部の領域を解放すればよい。
【００４９】
また、第１の実施の形態におけるスペアディスク装置１７０を、ＨＤＤではなく例えばテープドライブや、情報記憶装置１０００と通信する他の図示しない装置のＨＤＤにより構成してもよい。これは、スペアディスク装置１７０は、二次キャッシュ１４０の残ったＳＳＤと一時的に冗長構成を組むためのデバイスであり、性能は求められないためである。
【００５０】
［第２の実施の形態］
図１１は、本発明の第１の実施の形態の基本的構成である第２の実施の形態における情報記憶装置１００１の構成を示すブロック図である。図１１を参照すると、情報記憶装置１００１は、制御部１１１と二次キャッシュ１４０とデータディスク装置１５０とバッファメモリ１６０とスペアディスク装置１７０と、を備える。また、二次キャッシュ１４０は、第１のＳＳＤ１４１と第２のＳＳＤ１４２と、を備える。
【００５１】
制御部１１１は、第１の実施の形態における記憶部１２０の機能を内包する。
【００５２】
また、第２の実施の形態における情報記憶装置１００１は二次キャッシュ１４０のデータ書き込み機能に特化しており、上位装置との通信を行う第１の実施の形態における通信部や、データを読み出し、また二次キャッシュ１４０からさらにデータを書き込む第１の実施の形態におけるデータディスク装置は考慮しない
上述した本実施形態の効果は第１の実施の形態における効果と同様である。
【００５３】
以上、各実施の形態を参照して本発明を説明したが、本発明は上記実施の形態に限定されるものではない。本発明の構成や詳細には、本発明のスコープ内で当業者が理解しえる様々な変更をすることができる。
【符号の説明】
【００５４】
１００    通信部
１１０、１１１    制御部
１２０    記憶部
１４０    二次キャッシュ
１４１、１４２、１４３  ＳＳＤ
１５０    データディスク装置
１６０    バッファメモリ
１７０    スペアディスク装置
１０００、１００１    情報記憶装置
１４１１、１４１２、１４２１、１４２２、１４３１、１４３２    領域
【図１】
0006015700.tif 000002
【図２】
0006015700.tif 000003
【図３】
0006015700.tif 000004
【図４】
0006015700.tif 000005
【図５】
0006015700.tif 000006
【図６】
0006015700.tif 000007
【図７】
0006015700.tif 000008
【図８】
0006015700.tif 000009
【図９】
0006015700.tif 000010
【図１０】
0006015700.tif 000011
【図１１】
0006015700.tif 000012